(57)【要約】【課題】固形糊の詰替作業時に、詰替用固形糊が収容されているカートリッジケースを、固形糊繰出用容器における本体筒に強く押し当てて、固形糊が潰れてしまうような支障を来たすことがないようにするとともに、固形糊の本体筒内への収容時に、固形糊とスライダーとの離脱を防止することができるようにする。【解決手段】本体筒２内を昇降させるようにしたスライダー６に装着させた固形糊４の前端部４ａを、本体筒２より出没自在とするための固形糊繰出用容器１において、固形糊４の後端部を糊受部材９に保持させるとともに、この糊受部材９を、第１係着手段をもって、着脱可能にスライダー６に係着させることにより、固形糊４をスライダー６に間接的に装着させ、かつ固形糊４の本体筒２内への収容時におけるねじ杆５の回動により、第２係着手段をもって、糊受部材９とスライダー６とを係着させるようにする。【選択図】  図５
2008105195.tif 000002
【特許請求の範囲】
【請求項１】
本体筒の一端に装着された尾栓の回動により、尾栓と一体に形成されたねじ杆を本体筒内で回動させることによって、このねじ杆との螺合と、本体筒の内周面に軸線方向に設けた案内突条に係合する係合溝による案内とによって、本体筒内を昇降させるスライダーを備え、このスライダーに柱状の固形糊を装着させて、本体筒より固形糊の前端部を出没自在とするための固形糊繰出用容器において、
固形糊の後端部を糊受部材に保持させるとともに、この糊受部材を、第１係着手段をもって、着脱可能に前記スライダーに係着させることにより、固形糊をスライダーに間接的に装着させ、かつ固形糊の本体筒内への収容時におけるねじ杆の回動により、第２係着手段をもって、糊受部材とスライダーとを係着させるようにしたことを特徴とする固形糊繰出用容器。
【請求項２】
第１係着手段を、糊受部材とスライダーの両者のうち、一方に係止爪を、他方に係合部を設け、これらの係止爪と係合部の少なくとも一方を弾性変形可能とし、この弾性変形を利用して係止爪を係合部に係止させるように構成するとともに、
第２係着手段を、糊受部材とスライダーの両者のうち、一方に切欠部を、他方に係止部を設け、固形糊の本体筒内への収容時における案内突条と係合溝との間の遊びによるスライダーの糊受部材に対する相対的な回動により、切欠部を係止部に係止させるように構成したことを特徴とする請求項１記載の固形糊繰出用容器。
【請求項３】
第１係着手段をもって糊受部材をスライダーに係着させる際に、スライダーに対する糊受部材の回転位置を定めるための回転位置決め手段として、糊受部材とスライダーとの対向面に、その一方に角柱状嵌合部、他方に角筒状被嵌合部を、これらの嵌合時に、外部から視認しうるようにして設け、かつ嵌合によって、位置決めをなしうるようにしたことを特徴とする請求項１または２記載の固形糊繰出用容器。
【発明の詳細な説明】
【技術分野】
【０００１】
本発明は、固形糊の詰替えを容易にした固形糊繰出用容器に関する。
【背景技術】
【０００２】
固形糊繰出用容器は、一般に本体筒の一端に装着された尾栓の回動により、尾栓と一体に形成されたねじ杆を本体筒内で回動させることによって、このねじ杆との螺合と、本体筒の内周面に軸線方向に設けた案内突条に係合する係合溝による案内とによって、本体筒内を昇降させるスライダーを備え、このスライダーに柱状の固形糊を装着させて、本体筒より固形糊の前端部を出没自在とさせるようになっている（特許文献１参照）。
【０００３】
また、消耗した固形糊を詰替える場合、固形糊を保持していたスライダーをねじ杆から取外した後、他のスライダーに保持されている詰替用固形糊を収容したカートリッジケースの後端開口を、本体筒の前端開口に外嵌し、スライダーの軸線位置に設けてある螺溝と、ねじ杆とを螺合させ、尾栓の回動により、スライダーに保持されている詰替用固形糊を、本体筒内に収容するようにしている。
【０００４】
しかし、特許文献１のものでは、詰替作業時に、詰替用固定糊を保持しているスライダーとねじ杆とが、螺合しうる位置にあるかどうかは、必ずしも明確ではない。
そのため、カートリッジケースを本体筒に強く押し当てると、詰替用固形糊が押し潰されてしまう場合があり、詰替えた固形糊の円滑な使用に支障を来たすとともに、その程度が大きいときには、使用不能になる虞がある。
また、頻繁な固形糊の昇降により、本体筒の内周面に、固形糊の屑がこびり付き易いため、特に、収容時における固形糊の下降動作に対する負荷が大きくなり、固形糊がスライダーから千切れて、固形糊とスライダーとが離脱し易いという問題があった。
【特許文献１】特開２００３−２３１５７２号公報
【発明の開示】
【発明が解決しようとする課題】
【０００５】
本発明は、従来の技術の有する上記の問題点に鑑み、固形糊の詰替作業時に、詰替用固形糊が収容されているカートリッジケースを、固形糊繰出用容器における本体筒に強く押し当てて、固形糊が潰れてしまうような支障を来たすことがないようにするとともに、固形糊の本体筒内への収容時に、固形糊とスライダーとの離脱を防止することができるようにした固形糊繰出用容器を提供することを目的とする。
【課題を解決するための手段】
【０００６】
本発明によると、上記課題は次のようにして解決される。
（１）  本体筒の一端に装着された尾栓の回動により、尾栓と一体に形成されたねじ杆を本体筒内で回動させることによって、このねじ杆との螺合と、本体筒の内周面に軸線方向に設けた案内突条に係合する係合溝による案内とによって、本体筒内を昇降させるスライダーを備え、このスライダーに柱状の固形糊を装着させて、本体筒より固形糊の前端部を出没自在とするための固形糊繰出用容器において、固形糊の後端部を糊受部材に保持させるとともに、この糊受部材を、第１係着手段をもって、着脱可能に前記スライダーに係着させることにより、固形糊をスライダーに間接的に装着させ、かつ固形糊の本体筒内への収容時におけるねじ杆の回動により、第２係着手段をもって、糊受部材とスライダーとを係着させるようにする。
【０００７】
（２）  上記（１）項において、第１係着手段を、糊受部材とスライダーの両者のうち、一方に係止爪を、他方に係合部を設け、これらの係止爪と係合部の少なくとも一方を弾性変形可能とし、この弾性変形を利用して係止爪を係合部に係止させるように構成するとともに、第２係着手段を、糊受部材とスライダーの両者のうち、一方に切欠部を、他方に係止部を設け、固形糊の本体筒内への収容時における案内突条と係合溝との間の遊びによるスライダーの糊受部材に対する相対的な回動により、切欠部を係止部に係止させるようにする。
【０００８】
（３）  上記（１）項または（２）項において、第１係着手段をもって糊受部材をスライダーに係着させる際に、スライダーに対する糊受部材の回転位置を定めるための回転位置決め手段として、糊受部材とスライダーとの対向面に、その一方に角柱状嵌合部、他方に角筒状被嵌合部を、これらの嵌合時に、外部から視認しうるようにして設け、かつ嵌合によって、位置決めをなしうるようにする。
【発明の効果】
【０００９】
本発明によると、次のような効果が奏せられる。
【００１０】
請求項１記載の発明によると、固形糊の後端部を糊受部材に保持させるとともに、この糊受部材を、第１係着手段をもって、着脱可能に前記スライダーに係着させることにより、固形糊をスライダーに間接的に装着させてあるため、スライダーを交換することなく、このスライダーに、予め詰替用固形糊を保持させた糊受部材を着脱可能に係着させて、固形糊の詰替作業を行うことができ、従来の詰替作業におけるように、詰替用固形糊を保持されたスライダーを、ねじ杆に螺合させるという面倒な作業が不要であり、詰替用固形糊が収容されているカートリッジケースを、固形糊繰出用容器における本体筒に強く押し当てて、固形糊が潰れてしまうような虞がない。
また、固形糊の本体筒内への収容時におけるねじ杆の回動により、第２係着手段をもって、糊受部材とスライダーとを係着させるようにしてあるため、頻繁な固形糊の昇降により、本体筒の内周面に固形糊の屑がこびり付いて、収容時における固形糊の下降動作に対する負荷が大きくなっても、糊受部材とスライダーとの離脱を防止することができる。
【００１１】
請求項２記載の発明によると、第１係着手段を、糊受部材とスライダーの両者のうち、一方に係止爪を、他方に係合部を設け、これらの係止爪と係合部の少なくとも一方を弾性変形可能とし、この弾性変形を利用して係止爪を係合部に係止させるように構成してあるため、係止爪が係合部に弾性変形により係止されるため、スライダーと糊受部材の係止が確実になされるとともに、詰替固形糊を保持した糊受部材が、スライダーに係着されたかどうか、視覚的のみならず、係止爪が係合部に弾性変形により係止されるときに発生する弾き音により、聴覚的にも明確に知ることができる。
また、第２係着手段を、糊受部材とスライダーの両者のうち、一方に切欠部を、他方に係止部を設け、固形糊の本体筒内への収容時における案内突条と係合溝との間の遊びによるスライダーの糊受部材に対する相対的な回動により、切欠部を係止部に係止させるようにしてあるため、収容時における固形糊の下降動作に対する負荷が大きくなっても、糊受部材とスライダーとの離脱を防止することができる。
【００１２】
請求項３記載の発明によると、糊受部材をスライダーに係着させる際に、スライダーに対する糊受部材の位置決め手段として、糊受部材とスライダーとの対向面に、その一方に角柱状嵌合部、他方に角筒状被嵌合部を、これらの嵌合時に、外部から視認しうるように設け、嵌合によって位置決めをなしうるようにしてあるため、スライダーに対する糊受部材の位置を容易に視認することができ、詰替作業を円滑に行うことができる。
【発明を実施するための最良の形態】
【００１３】
以下、本発明の実施形態を、添付図面を参照して説明する。
図１は、本発明の一実施形態における固形糊繰出用容器に、固形糊を収容したものを一部破断して示す中央縦断側面図、図２は、詰替用固形糊を収容したカートリッジケースを、一部破断して示す中央縦断側面図、図３は、固形糊の詰替作業を行う際の分解斜視図、図４は、詰替作業を説明するための要部拡大斜視図、図５は、詰替作業を説明するための要部拡大縦断側面図である。
【００１４】
図１に示すように、本発明の固形糊繰出用容器１は、公知の固形糊繰出用容器と同様に、本体筒２の一端に装着された尾栓３の回動により、柱状の固形糊４の前端部４ａを、本体筒２の前端開口２ａから出没自在としうるようになっている。
【００１５】
尾栓３と一体にねじ杆５が形成され、このねじ杆５にスライダー６を螺合させるとともに、図４に示すように、このスライダー６の外周面に軸線方向に設けた係合溝７と、本体筒２の内周面に軸線方向に設けた案内突条８との係合による案内によって、スライダー６が、尾栓３における時計回り方向（図１実線矢印参照）または反時計回り方向（図１点線矢印参照）の回動に伴って、本体筒２内を昇降するようになっている。
【００１６】
スライダー６には、固形糊４を保持した糊受部材９が、着脱自在に係着されており、尾栓３を時計回り方向（図１実線矢印参照）に回動させることにより、スライダー６および糊受部材９を共に昇降させて、固形糊４の前端部４ａを本体筒２の前端開口２ａから出没させるようになっている。
【００１７】
糊受部材９の外周面には、スライダー６の外周面に軸線方向に設けた係合溝７と同様に、本体筒２の内周面に軸線方向に設けた案内突条８と係合する係合溝９ａが設けられている。
【００１８】
図４、図５に示すように、スライダー６は、後面周縁に縁枠１０が設けられたスライダー基台１１と、このスライダー基台１１の中央の軸線方向に前方に突出させて設けられたスライダー筒体１２とにより構成されている。
【００１９】
スライダー筒体１２は、後部の内周面に、ねじ杆５との螺合部１３を有し、かつ、前部に、筒孔１４ａが平面視正方形を有する角筒状被嵌合部１４が形成されている。
【００２０】
スライダー基台１１には、角筒状被嵌合部１４の下端外周に、係合部としての４個の係合孔１５が、等間隔で穿設されている。
【００２１】
一方、糊受部材９は、円板状の糊受基台１６の中央に、前後に突出させて設けられた軸線方向の糊受筒体１７と、糊受基台１６の後面に、直径方向に対峙させて後方に向けて突設された２個の係止片１８とにより形成されている。
糊受筒体１７の前部の筒外周面には、固形糊４を保持するための鍔状保持部１９が設けられ、糊受筒体１７の後部は、突状嵌合部としての角柱状嵌合部２０が形成されている。
【００２２】
係止片１８は、糊受筒体１７の径方向に弾性変形可能となっており、その後端部には、外向きの係止爪１８ａが設けられ、角筒状被嵌合部１４の下端外周に穿設した４個の係合孔１５のうち、対応する２個の係合孔１５に係止しうるようにした第１系着手段を構成している。
【００２３】
各係止片１８の後端部における係止爪１８ａの近傍には、図４に示すように、切欠部２４が形成されている。この切欠部２４は、固形糊４の本体筒２内への収容時に、尾栓３を反時計回り方向（図１点線矢印参照）に回動させ、案内突条８と係合溝１０の間の遊びを利用して、スライダー６を糊受部材９に対して相対的に回動させることにより、係合孔１５の内周端縁１５ａを係止部として、係止しうるようにした第２係着手段を構成している。
【００２４】
図２に示すように、カートリッジケース２１内に収容された詰替用の固形糊４は、糊受部材９に保持されている。
【００２５】
次に、固形糊４を詰め替える際の作業について説明する。
まず、図４に示すように、本体筒２のキャップ（図１参照）２２を取り外し、尾栓３を時計回り方向（図１実線矢印参照）に回動させて、スライダー６を、本体筒２の前端開口２ａより一部突出させる。
【００２６】
次いで、図２に示すように、詰替用の固形糊４が収容されているカートリッジケース２１のキャップ２３を取り外し、カートリッジケース２１を逆さにして、図４に示すように、糊受部材９をスライダー６に近づけ、糊受部材９における角柱状嵌合部２０を、スライダー６のスライダー筒体１２における角筒状被嵌合部１４の筒孔１４ａ内に嵌合させる。
【００２７】
角柱状嵌合部２０と角筒状被嵌合部１４とは、外部から視認しうるようになっているため、角柱状嵌合部２０を角筒状被嵌合部１４内に容易に嵌合させることができ、かつこの嵌合によって、スライダー６に対する糊受部材９の適正な位置が自動的に調整される。
【００２８】
更に、カートリッジケース２１を後方に向けて押して、糊受部材９を押し込むことにより、糊受部材８における係止片１８の係止爪１８ａが、スライダー６おける係合孔１５の内周縁に当接し、係止片１８は、内方に向けて弾性変形する。
【００２９】
更に、糊受部材９を押し込み、スライダー６に対して相対的に後方に向けて移動させることにより、図５に示すように、係止片１８の係止爪１８ａが、スライダー基台１１におけるスライダー筒体１２の係合孔１５に係止される。この係止により、固形糊４が、糊受部材９を介して、間接的にスライダー６に装着される。
【００３０】
次いで、詰替用の固形糊４が保持されている糊受部材９を、スライダー６と共に本体筒２内に引き込ませるために、尾栓３を反時計回り方向（図１点線矢印参照）に回動させると、スライダー６は、案内突条８と係合溝１０の間の遊びにより、糊受部材９に対して相対的に回動し、切欠部２４に、係合孔１５の内周端縁１５ａが係止される。この状態で、さらに尾栓３を反時計回り方向に回動させると、糊受部材９は、スライダー６と係止したまま、本体筒２内に引き込まれ、詰替用の固形糊４の詰替作業が終了する。
【００３１】
詰替えた固形糊４が消耗して、新しい詰替用の固形糊４を詰め替える際には、尾線３を時計回り方向（図１実線矢印参照）に回動させると、スライダー６が、案内突条８と係合溝１０の間の遊びによる糊受部材９に対して相対的に回動し、切欠部２４と係合孔１５の内周端縁１５ａとの係止状態が解除される。この状態で、さらに尾栓３を反時計回り方向に回動させ、糊受部材９をスライダー６と共に押し上げて、本体筒２の前端開口２ａから突出させた後、糊受部材９における係止片１８を、外側から内側に向けて押し込むように弾性変形させる。
これにより、係止片１８の係止爪１８ａと、スライダー基台１１におけるスライダー筒体１２の係合孔１５との係止状態は解除され、糊受部材９がスライダー６から取外し可能となり、この糊受部材９の取り外しと共に、消耗した固形糊４の取り外しが行われる。
なお、取出し後の消耗した固形糊４は、糊受部材９と共に、あるいは糊受部材９と分離して廃棄処分すればよい。
【図面の簡単な説明】
【００３２】
【図１】本発明の一実施形態における固形糊繰出用容器に、固形糊を収容したものを一部破断して示す中央縦断側面図である。
【図２】詰替用固形糊を収容したカートリッジケースを、一部破断して示す中央縦断側面図である。
【図３】固形糊の詰替作業を行う際の分解斜視図である。
【図４】詰替作業を説明するための要部拡大斜視図である。
【図５】詰替作業を説明するための要部拡大縦断側面図である。
【符号の説明】
【００３３】
１    固形糊繰出用容器
２    本体筒
２ａ  前端開口
３    尾栓
４    固形糊
４ａ  前端部
５    ねじ杆
６    スライダー
７    係合溝
８    案内突条
９    糊受部材
９ａ  係合溝
１０  縁枠
１１  スライダー基台
１２  スライダー筒体
１３  螺合部
１４  角筒状被嵌合部
１４ａ  筒孔
１５  係合孔（係合部）
１５ａ  内周端縁（係止部）
１６  糊受基台
１７  糊受筒体
１８  係止片
１８ａ  係止爪
１９  鍔状保持部
２０  角柱状嵌合部
２１  カートリッジケース
２２  キャップ
２３  キャップ
２４  切欠部
【図１】
2008105195.tif 000003
【図２】
2008105195.tif 000004
【図３】
2008105195.tif 000005
【図４】
2008105195.tif 000006
【図５】
2008105195.tif 000007